(57)【要約】【課題】  冷却水を冷却するクーリングタワーの苔発生および水垢の付着を防止するクーリングタワーの苔発生および水垢の付着防止方法を提供する。【解決手段】  クーリングタワーの苔発生および水垢の付着を防止する方法において、クーリングタワー上面の冷却水供給口および吐出口の周辺に固形物を投入し、該固形物が冷却水の対流によって揺動し、冷却水供給口および吐出口の周辺を自動的に磨き上げ、苔の発生や水垢の付着を防止することを特徴とする冷却水クーリングタワーの苔発生および水垢の付着防止方法。上記固形物を１〜１０個投入することを特徴とする冷却水クーリングタワーの苔発生および水垢の付着防止方法。【選択図】    図１
2005195245.tif 000002
【特許請求の範囲】
【請求項１】
クーリングタワーにおける苔の発生および水垢の付着を防止する方法において、クーリングタワー上面の冷却水供給口および吐出口の周辺に固形物を投入し、該固形物が冷却水の対流によって揺動し、冷却水供給口周辺を自動的に磨き上げ、苔の発生や水垢の付着を防止することを特徴とする冷却水クーリングタワーの苔発生および水垢付着防止方法。
【請求項２】
請求項１に記載の固形物を１〜１０個投入することを特徴とする冷却水クーリングタワーの苔発生および水垢付着防止方法。
【請求項３】
請求項１または請求項２に記載の固形物は固形物の外周に突起を付した固形物であることを特徴とする冷却水クーリングタワーの苔発生および水垢付着防止方法。
【発明の詳細な説明】
【技術分野】
【０００１】
本発明は、冷却水を冷却するクーリングタワーの苔発生を防止する方法に関するものである。
【背景技術】
【０００２】
従来、工場内で冷却に使われる冷却水を屋外で空気冷却するクーリングタワーでは、冷却すべき冷却水はクーリングタワー上面に汲み上げられ、そこにある供給口からクーリングタワー内にある熱交換器に通される。しかし、クーリングタワーは屋外であるために供給口の周辺に苔が発生し、遂には供給口を塞いでしまうという問題がある。この対策として、冷却水に苔発生防止剤を添加して苔の発生を防止しているいるのが実状である。
【０００３】
一方、例えば特開昭５３−１３７３４６号公報に開示されているように、強制水冷エンジンの冷却風防塵装置が提案されている。これは、農用コンバインや農用ハーベスタなどのように、塵埃が多量に発生する中で使用される機械に搭載する強制水冷エンジンにおいて、このエンジンの冷却風をその冷却器の吸風口に設けた除塵網で除塵することにより、冷却器が塵埃の付着で冷却不能になるのを防止する装置で、その除塵網に付着堆積する塵埃を自動的に確実に除去して、エンジンの冷却吸風を常に適正に保って、エンジンのオーバーヒートを自動的に防止でき、しかもその除去された塵埃を一箇所に集めて散らかさずに排出でき、その上除塵網を簡単な形状で小形に製造できるようにした強制水冷エンジンの冷却風防塵装置が開示されている。
【０００４】
【特許文献１】特開昭５３−１３７３４６号公報
【発明の開示】
【発明が解決しようとする課題】
【０００５】
上述した冷却水に苔発生防止剤を添加する方法は、その効果が十分でなく、定期的に供給口をたわし等で掃除し、苔を除去しなければならないという問題がある。また、特許文献１は、課題が類似しているに過ぎず、その対象およびそのための手段が全く異なるものである。
【課題を解決するための手段】
【０００６】
上述した問題を解消するために、発明者らは鋭意開発を進めた結果、冷却水供給口および吐出口の周辺に固形物を投入し、固形物が冷却水の流れの乱れによって自由に動き回ることによって苔の発生を防止する冷却水クーリングタワーの苔発生防止方法を提供するものである。その発明の要旨とするところは、
（１）クーリングタワーにおける苔の発生および水垢の付着を防止する方法において、クーリングタワー上面の冷却水供給口および吐出口の周辺に固形物を投入し、該固形物が冷却水の対流によって揺動し、冷却水供給口周辺を自動的に磨き上げ、苔の発生や水垢の付着を防止することを特徴とする冷却水クーリングタワーの苔発生および水垢付着防止方法。
【０００７】
（２）前記（１）に記載の固形物を１〜１０個投入することを特徴とする冷却水クーリングタワーの苔発生および水垢付着防止方法。
（３）前記（１）または（２）に記載の固形物は固形物の外周に突起を付した固形物であることを特徴とする冷却水クーリングタワーの苔発生および水垢付着防止方法にある。
【発明の効果】
【０００８】
以上述べたように、本発明により、冷却水を冷却するクーリングタワーの苔の発生を抑制され、苔発生防止剤が不要となり、メンテナンスフリーが可能となる極めて優れた効果を奏するものである。
【発明を実施するための最良の形態】
【０００９】
以下、本発明について図面に従って詳細に説明する。
図１は、屋外クーリングタワーの構造を示す図である。また、図２は、クーリングタワー本体の上面図である。この図１および２に示すように、クーリングタワー本体１の上面に冷却水貯留槽２を設け、該冷却水貯留槽２には工場内で冷却に使用された後の温度の高い冷却水を送るための供給配管４を配設し、この供給配管４から工場内で冷却に使用された温度の高い冷却水が冷却水貯留槽２に送られる。また、クーリングタワー本体１の上面に設けた冷却水貯留槽２の外周には吐出口８を設けると共に、クーリングタワー本体１内には熱交換器３を設ける。
【００１０】
一方、冷却水貯留槽２の上面にはフアン９を配設し、このフアン９によって冷却水貯留槽２内の高温水は冷却され、該冷却水貯留槽２の上面からオーバーフローされた冷却水は冷却水貯留槽２の外周に設けられた冷却水供給口６に供給されクーリングタワー本体１内に入り、このクーリングタワー本体１の底部に設けられた排出配管５により再び工場内に戻されるような構造となっている。
【００１１】
上述したような構造のクーリングタワー本体１の上面に冷却水貯留槽２の近傍に設けられている冷却水供給口６および吐出口８の周辺に固形物７を投入し、該固形物７が冷却水の対流によって揺動し、冷却水供給口６および吐出口８の周辺を自動的に磨き上げ、苔の発生を防止するものである。このように冷却水貯留槽２の近傍に設けられている冷却水供給口６および吐出口８の周辺に１個以上、望ましくは１〜１０個、さらにより望ましくは３〜７個の固形物７を投入する。この投入された固形物７は冷却水の流れの乱れによって自由に揺動することによって、冷却水供給口ないし吐出口周辺を自動的に磨き上げ、苔の発生を防止するものである。
【００１２】
本発明は、クーリングタワーが直径２ｍ以上の大型のタワーで特に有効である。また、タワーの直径に対して固形物７の大きさが１／２５〜１／５０の比率である固形物が好ましい。タワーに対して固形物７が大きすぎると固形物７の動きが小さくなり、小さすぎると苔や水垢が採りきれないことがあるためである。なお、本発明においては、固形物７には突起物がある方が好ましい。この理由は、固形物７に突起物があると突起物のない場合より固形物７が水流を乱す効果が向上し、さらに固形物７が時々壁面に接触した場合に壁面に付着しかけた苔や水垢を擦り落とす効果があるためである。例えばたわしなどその類に属する。
【実施例】
【００１３】
以下、本発明について実施例によって具体的に説明する。
処理能力：１２０ｔ／ｈ、供給口：直径φ１０ｍｍ、９２ヶ所／ｍ2 のクーリングタワー本体の上に設けた冷却水貯留槽の近傍に設けられている冷却水供給口および吐出口の周辺に７０ｍｍ×８０ｍｍたわし４個を投入した。このたわしが冷却水の流れの乱れによって自由に揺動し、屋外装置として設置したクーリングタワー本体の冷却水供給口および吐出口の周辺には苔の発生が抑制され、その結果、苔発生防止剤を添加する必要がなく、メンテナンスフリーとなり、コスト的にも安価な操業をすることが可能となった。
【図面の簡単な説明】
【００１４】
【図１】屋外クーリングタワーの構造を示す図である。
【図２】クーリングタワー本体の上面図である。
【符号の説明】
【００１５】
１  クーリングタワー本体
２  冷却水貯留槽
３  熱交換器
４  供給配管
５  排出配管
６  冷却水供給口
７  固形物
８  吐出口
９  フアン
特許出願人  山陽特殊製鋼株式会社
代理人  弁理士    椎  名    彊
【図１】
2005195245.tif 000003
【図２】
2005195245.tif 000004